(57)【要約】【課題】主に自動車の映像や音響、空調機器等の遠隔操作に用いられるリモコン送信機に関し、所在の確認が容易で、探し易いものを提供することを目的とする。【解決手段】制御手段１０が操作手段２の操作状態を検出すると共に、複数のキーが操作された状態で受信手段５が探索信号を受信した場合には、報知手段６を作動させることによって、リモコン送信機の上に荷物が置かれていたり、シートの間に挟まった場合等でも、所在の確認が容易で、探し易いリモコン送信機を得ることができる。【選択図】図１
2005328244.tif 000002
【特許請求の範囲】
【請求項１】
複数のキーから形成された操作手段と、この操作手段の操作に応じて送信手段からリモコン信号を送信する制御手段と、この制御手段に接続され探索信号を受信する受信手段と、音または振動を発生する報知手段からなり、上記制御手段が上記操作手段の操作状態を検出し、複数のキーが操作された状態で上記受信手段が探索信号を受信した場合には、上記報知手段を作動させるリモコン送信機。
【請求項２】
複数のキーが操作され報知手段が作動した状態で、これらから離れた箇所のキーが操作された場合には、制御手段が上記報知手段を停止する請求項１記載のリモコン送信機。
【発明の詳細な説明】
【技術分野】
【０００１】
本発明は、主に自動車内で、映像や音響、空調機器等の遠隔操作に用いられるリモコン送信機に関するものである。
【背景技術】
【０００２】
近年、自動車の高機能化・多様化が進むなか、映像や音響、空調機器等の操作部が設けられたフロントパネルから離れた後部座席等から、リモコン送信機を用いてこれらの機器を遠隔操作することが行われている。
【０００３】
そして、こうした車両内で使用されるリモコン送信機においては、リモコン送信機がシートの下に落ちていたり、ボックスやシート等の隙間等に隠れていた場合でも、リモコン送信機を容易に探せるように、所定の操作によって所在を知らせる報知手段を備えたものが考えられている。
【０００４】
このような従来のリモコン送信機について、図３を用いて説明する。
【０００５】
図３は従来のリモコン送信機の正面図であり、同図において、１は略箱状で絶縁樹脂製の筐体で、この筐体１上面には、下面にスイッチ接点が設けられた複数のキーが、上下動可能に突出して操作手段２が形成されている。
【０００６】
また、筐体１内には上下面に複数の配線パターンが形成された配線基板（図示せず）が収納され、この配線基板の上下面に実装されたマイコン等の電子部品によって制御手段３や、発光ダイオード等の電子部品によって送信手段４が形成されている。
【０００７】
さらに、この配線基板にはアンテナやブザー等が実装され、これらによって受信手段５や報知手段６が形成されて、リモコン送信機等が構成されている。
【０００８】
以上の構成において、このようなリモコン送信機が車両に搭載され、フロントパネルから離れた後部座席等から、リモコン送信機の所定のキー、例えば、電源の入／切用のキー２Ａや音量切換え用のキー２Ｂ等を押圧操作すると、この個所のスイッチ接点の電気的接離が行われ、制御手段３がこれらの操作状態を検出する。
【０００９】
そして、これらに対応した赤外線のリモコン信号が送信手段４から機器へ送信され、例えば、オーディオやエアコンの電源の入／切や、音量の増減等が遠隔操作によって行われる。
【００１０】
また、リモコン送信機がシートの下に落ちていたり、ボックスやシート等の隙間等に隠れていて、どこにあるか判らない場合には、フロントパネル等に設けられた所定のスイッチ（図示せず）を操作すると、例えば室内灯近傍等に設けられたアンテナ（図示せず）から電波の探索信号が発信される。
【００１１】
そして、この探索信号をリモコン送信機の受信手段５が受信すると、報知手段６のブザー等が鳴り、その所在を知らせることによって、リモコン送信機を容易に探し出すことができるように構成されているものであった。
【００１２】
なお、リモコン送信機の何れかのキー、例えば、電源の入／切用のキー２Ａ等が押圧操作された状態、即ち、乗員の誰かがリモコン送信機を使用している状態では、制御手段３によって報知手段６が停止した状態となっている。
【００１３】
つまり、こうした通常のリモコン送信機の遠隔操作が行われていると思われる場合には、他の乗員が誤って探索用のスイッチを操作し、探索信号を受信手段５が受信しても、報知手段６が作動しないように構成されている。
【００１４】
なお、この出願の発明に関連する先行技術文献情報としては、例えば、特許文献１が知られている。
【特許文献１】特開２０００−２２５６２号公報
【発明の開示】
【発明が解決しようとする課題】
【００１５】
しかしながら、上記従来のリモコン送信機においては、何れかのキーが押圧操作された状態では、探索信号が発信されても報知手段６が作動しないように構成されているため、リモコン送信機の上に荷物が置かれていたり、リモコン送信機がシートの間に挟まっている等、いくつかのキーが押圧された状態では所在の確認が行えず、探し出すことが困難であるという課題があった。
【００１６】
本発明は、このような従来の課題を解決するものであり、所在を容易に確認でき、探し易いリモコン送信機を提供することを目的とする。
【課題を解決するための手段】
【００１７】
上記目的を達成するために本発明は、以下の構成を有するものである。
【００１８】
本発明の請求項１記載の発明は、制御手段が操作手段の操作状態を検出し、複数のキーが操作された状態で受信手段が探索信号を受信した場合には、報知手段を作動させるようにしてリモコン送信機を構成したものであり、一つのキーのみが押圧操作され、通常の遠隔操作が行われた状態では報知手段を停止すると共に、リモコン送信機の上に荷物が置かれていたり、シートの間に挟まった場合等のように、複数のキーが押圧された状態では報知手段を作動させることによって、所在の確認が容易で、探し易いリモコン送信機を得ることができるという作用を有する。
【００１９】
請求項２に記載の発明は、請求項１記載の発明において、複数のキーが操作され報知手段が作動した状態で、これらから離れた箇所のキーが操作された場合には、制御手段が報知手段を停止するものであり、複数のキーから離れた箇所のキーが操作された場合には、荷物やシートに押圧された状態から探し出されたと判定し、報知手段を停止することによって、通常の遠隔操作を行う状態にリモコン送信機を復帰させることができるという作用を有する。
【発明の効果】
【００２０】
以上のように本発明によれば、所在の確認が容易で、探し易いリモコン送信機を実現することができるという有利な効果が得られる。
【発明を実施するための最良の形態】
【００２１】
以下、本発明の実施の形態について、図１及び図２を用いて説明する。
【００２２】
なお、背景技術の項で説明した構成と同一構成の部分には同一符号を付して、詳細な説明を簡略化する。
【００２３】
（実施の形態）
図１は本発明の一実施の形態によるリモコン送信機のブロック回路図、図２は同正面図であり、同図において、１は略箱状でポリスチレンやＡＢＳ等の絶縁樹脂製の筐体で、この筐体１上面には、下面にスイッチ接点が設けられたゴムや絶縁樹脂製の複数のキーが、上下動可能に突出して操作手段２が形成されている。
【００２４】
また、筐体１内には上下面に銅箔等によって複数の配線パターンが形成された、紙フェノールやガラス入りエポキシ等の配線基板（図示せず）が収納され、この配線基板の上下面に実装されたマイコン等の電子部品によって、制御手段１０が形成されている。
【００２５】
さらに、この配線基板には、発光ダイオード等の電子部品によってリモコン信号を送信する送信手段４が、アンテナ等によって探索信号を受信する受信手段５が、ブザーやモータ等によって音や振動を発生する報知手段６が、各々形成されてリモコン送信機が構成されている。
【００２６】
以上の構成において、このようなリモコン送信機が車両に搭載され、フロントパネルから離れた後部座席等から、リモコン送信機の所定のキー、例えば、電源の入／切用のキー２Ａや音量切換え用のキー２Ｂ等を押圧操作すると、この個所のスイッチ接点の電気的接離が行われ、制御手段１０がこれらの操作状態を検出する。
【００２７】
そして、これらに対応した赤外線のリモコン信号が送信手段４から機器へ送信され、例えば、オーディオやエアコンの電源の入／切や、音量の増減等が遠隔操作によって行われる。
【００２８】
また、リモコン送信機がシートの下に落ちていたり、ボックスやシート等の隙間等に隠れていて、どこにあるか判らない場合には、フロントパネル等に設けられた所定のスイッチ（図示せず）を操作すると、例えば室内灯近傍等に設けられたアンテナ（図示せず）から電波の探索信号が発信される。
【００２９】
そして、この探索信号をリモコン送信機の受信手段５が受信すると、制御手段１０が報知手段６のブザーやモータ等によって音や振動等を発生させ、その所在を知らせることによって、リモコン送信機を容易に探し出すことができるように構成されている。
【００３０】
なお、リモコン送信機の何れかのキー、例えば、電源の入／切用のキー２Ａ等が押圧操作された状態、即ち、乗員の誰かがリモコン送信機を使用している状態では、制御手段１０がこの操作手段２の操作状態を検出し、報知手段６が停止した状態となっている。
【００３１】
つまり、一つのキーのみが押圧操作され、通常のリモコン送信機の遠隔操作が行われていると思われる場合には、他の乗員が誤って探索用のスイッチを操作し、探索信号を受信手段５が受信しても、報知手段６が作動しないように構成されている。
【００３２】
また、このような通常の遠隔操作とは異なり、リモコン送信機の上に荷物が置かれていたり、シートの間に挟まった場合等のように、複数のキー２Ｃや２Ｄ等が同時に押圧された状態では、制御手段１０がこれらの操作状態を検出し、受信手段５が探索信号を受信すると、報知手段６のブザーやモータ等によって音や振動等を発生させるように構成されている。
【００３３】
つまり、通常の遠隔操作で一つのキーのみが押圧操作された状態では、報知手段６は停止しているが、荷物が置かれたりシートに挟まり、複数のキーが同時に押圧された状態では、車体側から電波の探索信号が発信されると、報知手段６が作動して、リモコン送信機の所在を知らせ、探し出せるようになっている。
【００３４】
さらに、上記のように複数のキー２Ｃや２Ｄ等が押圧され報知手段６が作動した状態で、これらに近接したキー２Ｅ等が押圧操作された場合には、報知手段６が作動した状態のままであるが、これらから離れた箇所のキー２Ｆ等が操作された場合には、制御手段１０が報知手段６を停止するように構成されている。
【００３５】
つまり、リモコン送信機の上に置かれた荷物が少し動いたり、シートの間にさらに深く挟まった場合等のように、今まで押圧されていたキー２Ｃや２Ｄに近接したキー２Ｅ等が押圧操作された時には、報知手段６は所在を知らせるために作動したままであるが、荷物が取除かれたりシートの間から抜出され、離れた箇所のキー２Ｆ等が操作された時には、報知手段６を停止し通常の遠隔操作を行う状態に復帰するようになっている。
【００３６】
このように本実施の形態によれば、制御手段１０が操作手段２の操作状態を検出すると共に、複数のキーが操作された状態で受信手段５が探索信号を受信した場合には、報知手段６を作動させることによって、リモコン送信機の上に荷物が置かれていたり、シートの間に挟まった場合等でも、所在の確認が容易で、探し易いリモコン送信機を得ることができるものである。
【００３７】
また、複数のキーが操作され報知手段が作動した状態で、これらから離れた箇所のキーが操作された場合には、制御手段１０が報知手段６を停止することによって、荷物やシートに押圧された状態から探し出された後には、通常の遠隔操作を行う状態にリモコン送信機を復帰させることができる。
【産業上の利用可能性】
【００３８】
本発明によるリモコン送信機は、所在の確認が容易で、探し易いものが得られ、主に自動車の映像や音響、空調機器等の遠隔操作用として有用である。
【図面の簡単な説明】
【００３９】
【図１】本発明の一実施の形態によるリモコン送信機のブロック回路図
【図２】同正面図
【図３】従来のリモコン送信機の正面図
【符号の説明】
【００４０】
１  筐体
２  操作手段
２Ａ、２Ｂ、２Ｃ、２Ｄ、２Ｅ、２Ｆ  キー
４  送信手段
５  受信手段
６  報知手段
１０  制御手段
【図１】
2005328244.tif 000003
【図２】
2005328244.tif 000004
【図３】
2005328244.tif 000005